(57)【特許請求の範囲】
【請求項１】
近位表面と遠位表面とを備えているトランスデューサ要素と、
該トランスデューサ要素の該遠位表面に取り付けられた第１のヒートシンクであって、該第１のヒートシンクは、第１の接合部分を備え、該第１の接合部分は、該トランスデューサの該遠位表面に接合され、該第１の接合部分は、材料を含み、該材料の組成および寸法が該トランスデューサ要素の該遠位表面に音響的整合層を提供する、第１のヒートシンクと、
該トランスデューサ要素の該近位表面に取り付けられた第２のヒートシンクであって、該第２のヒートシンクは、第２の接合部分と、第２の実質的に湾曲した部分とを備え、該第２の接合部分は、該トランスデューサの該近位表面に接合され、該第２の実質的に湾曲した部分は、該トランスデューサ要素から近位に突き出る脚を含むことによって、該トランスデューサ要素の該近位表面から熱を逃がすように伝え、該第２のヒートシンクは、該トランスデューサの該近位表面および該遠位表面に流体の流れを向けるように構成されている、第２のヒートシンクと、
該第１のヒートシンクおよび第２のヒートシンクに結合されたベースであって、該ベースは、該トランスデューサ要素の該近位表面および遠位表面を冷却するために該トランスデューサ要素を通過して流体が流れることを可能にするように構成されている、ベースと
を備え、
該第１のヒートシンクおよび該第２のヒートシンクは、該トランスデューサに電力を提供する、トランスデューサシステム。
【請求項２】
前記ベースと、前記トランスデューサ要素と、前記第１のヒートシンクと、前記第２のヒートシンクとを収納するように構成された管状のジャケットをさらに備え、該管状のジャケットは、該管状のジャケットから流体が出ることを可能にするように構成された少なくとも１つの流体出口ポートを備えている、請求項１に記載のシステム。
【請求項３】
前記第１のヒートシンクは、第１の実質的に湾曲した部分をさらに備え、該第１の実質的に湾曲した部分は、前記トランスデューサ要素から近位に突き出る脚を含むことによって、前記トランスデューサ要素の前記遠位表面から熱を逃がすように伝える、請求項１に記載のシステム。
【請求項４】
前記第１の接合部分は、アルミニウムと、グラファイトと、金属充填グラファイトと、セラミックと、グラファイトおよび銅またはタングステンのアマルガムと、エポキシ充填金属とからなる群から選ばれる材料である、請求項３に記載のシステム。
【請求項５】
前記第１の接合部分は、前記トランスデューサ要素の前記遠位表面と電気的連絡かつ熱的連絡をしている、請求項４に記載のシステム。
【請求項６】
前記第１の接合部分と前記遠位表面との間の電気的連絡は、該第１の接合部分と該遠位表面との間の直接接触によって確立される、請求項５に記載のシステム。
【請求項７】
前記直接接触は、前記第１の接合部分および前記遠位表面の表面粗さによって制御される、請求項６に記載のシステム。
【請求項８】
前記第２の接合部分は、材料を含み、該材料の組成が前記トランスデューサ要素の音響インピーダンスに音響的に不整合であることによって、該トランスデューサ要素の前記近位表面に反射バッキング層を提供する、請求項１に記載のシステム。
【請求項９】
前記トランスデューサの前記近位表面と前記第２のヒートシンクとの間に配置されたエアポケットをさらに備えている、請求項１に記載のシステム。
【請求項１０】
前記第２の接合部分は、銅を含む、請求項１に記載のシステム。
【請求項１１】
前記トランスデューサ要素は、実質的に平らな円形のディスクを備えている、請求項１に記載のシステム。
【請求項１２】
前記トランスデューサ要素は、第１の周波数範囲において第１の出力レベルで動作し、第２の周波数範囲において第２の出力レベルで動作する、請求項１に記載のシステム。
【請求項１３】
前記第１の周波数範囲は、組織を超音波によって画像化するために用いられ、前記第２の周波数範囲は、組織損傷を作るために用いられる、請求項１２に記載のシステム。
【請求項１４】
前記第１の周波数範囲は、５ＭＨｚ〜３０ＭＨｚであり、前記第２の周波数範囲は、１０ＭＨｚ〜１８ＭＨｚである、請求項１３に記載のシステム。
【請求項１５】
前記第１の接合部分および前記第２の接合部分は、目打ちを備え、その結果、該第１の接合部分は、前記トランスデューサ要素の前記音響インピーダンスに音響的に整合し、該第２の接合部分は、該トランスデューサ要素の該音響インピーダンスに音響的に不整合である、請求項１に記載のシステム。
【請求項１６】
近位端と遠位端とを有する細長い可撓性シャフトをさらに備え、前記トランスデューサは、該シャフトの該遠位端に隣接して配置されている、請求項１に記載のシステム。
【請求項１７】
前記トランスデューサと流体連絡する冷却流体をさらに備えている、請求項１に記載のシステム。
【請求項１８】
温度をモニタするために、前記トランスデューサに隣接して温度センサをさらに備えている、請求項１に記載のシステム。
【発明の詳細な説明】
【技術分野】
【０００１】
（関連出願の参照）
本出願は、同時係属の米国特許出願第１１／７４７，８６２号（代理人整理番号０２７６８０−０００１２０ＵＳ）、第１１／７４７，８６７号（代理人整理番号０２７６８０−０００１３０ＵＳ）、第１２／４８０，９２９号（代理人整理番号０２７６８０−０００２１０ＵＳ）、第１２／４８０，２５６号（代理人整理番号０２７６８０−０００３１０ＵＳ）、第１２／４８３，１７４号（代理人整理番号０２７６８０−０００４１０ＵＳ）、第１２／４８２，６４０号（代理人整理番号０２７６８０−０００５１０ＵＳ）、第１２／５０５，３２６号（代理人整理番号０２７６８０−０００５１０ＵＳ）、第１２／５０５，３３５号（代理人整理番号０２７６８０−０００７１０ＵＳ）、第１２／６０９，７５９号（代理人整理番号０２７６８０−００１１１０ＵＳ）、第１２／６０９，２７４号（代理人整理番号０２７６８０−００１４１０ＵＳ）、および第１２／６０９，７０５号（代理人整理番号０２７６８０−００１６１０ＵＳ）に関する。本出願はまた、同時係属の米国仮特許出願第６１／１４８，８０９号（代理人整理番号０２７６８０−００１０００ＵＳ）、および第６１／２５４，９９７号（代理人整理番号０２７６８０−００１９００ＵＳ）に関する。上記参照の出願の各々の全内容は、参照によって本明細書に援用される。
【０００２】
（発明の背景）
（１．発明の分野）
本出願は、概して、人の組織に切除帯を作るシステムおよび方法に関する。より具体的には、本出願は、組織損傷を作るために用いられる超音波トランスデューサ形態に関し、さらにより具体的には、心臓の細動を治療するために用いられる超音波トランスデューサに関する。本出願は、心房細動の治療を強調するが、当業者は、このことが限定することは意図されないこと、また本明細書に開示されるシステムおよび方法が他の不整脈を治療するため、そして組織に損傷を作ることによって他の状態を治療するためにも用いられ得ることを理解する。
【背景技術】
【０００３】
心房細動（ＡＦ）の状態は、心筋の正常な同期の動き（「正常洞調律」）から調子が外れる、心臓の左心房の異常な（通常非常に速い）拍動を特徴とする。正常洞調律において、電気的インパルスは、右心房にある洞房結節（「ＳＡ結節（ｎｏｄｅ）」）において生じる。心房の心筋の異常な拍動は、「細動」として公知であり、例えば肺静脈（「ＰＶ」）においてなどＳＡ結節以外の点において代わりに生じる電気的インパルスによって引き起こされる。
【０００４】
様々な成功の度合いを有する、この状態に対する薬理学的治療がある。さらに、ＰＶから左心房（「ＬＡ」）への迷入の電気的経路を除去することを意図する、Ｃｏｘ−Ｍａｚｅ  ＩＩＩ  Ｐｒｏｃｅｄｕｒｅなどの外科手術的介入がある。この処置は９９％有効であることが示されるが、特別の外科手術的スキルを必要とし、時間がかかる。従って、より非侵襲的で経皮カテーテルベースのアプローチ用いてＣｏｘ−Ｍａｚｅ処置をまねる相当な努力がなされてきた。異常な信号がＰＶにおいて生じる迷入の焦点を囲む組織を切除する（または殺す）ある形態のエネルギーを用いることを伴う侵襲性の少ない治療が開発されてきた。最も一般的な方法論は、無線周波（「ＲＦ」）電気的エネルギーを用いて、筋肉組織を加熱し、それによって筋肉組織を切除することである。迷入の電気的インパルスは次いで、ＰＶから心房に伝わることが妨げられ（「伝導ブロック」を達成し）、従って心房筋の細動を回避する。マイクロ波、レーザ、および超音波などの他のエネルギー源が、伝導ブロックを達成するために利用されてきた。さらに凍結切除、エタノールの投与などの技術もまた用いられてきた。これらの方法およびデバイスのいくつかは、以下に説明される。
【０００５】
無線周波（ＲＦ）エネルギーを用いるＡＦの治療のためにカテーテルベースのシステムを開発する相当な努力がなされてきた。そのような方法の１つは、カテーテルの先端に遠位電極と近位電極とを有するカテーテルを含む。カテーテルは、コイル形状に曲げられ得、肺静脈内に位置を決められ得る。ＰＶの内壁の組織は、迷入の心臓活動源を殺す試みにおいて切除される。
【０００６】
切除に用いられる別の供給源は、マイクロ波である。そのような術中デバイスのうちの１つは、心房組織を切除する能力を有する可鍛性アンテナを有するプローブから成る。
【０００７】
別のカテーテルベースの方法は、心房の組織が−６０℃より低い温度で凍結される冷凍技術を利用する。これは、結果として、ＰＶの近くの組織を殺すことになり、それによって、ＡＦを引き起こす迷入の信号のための通路を除去する。冷凍ベースの技術はまた、上記に説明される部分的Ｍａｓｅ処置の一部であった。より最近では、Ｄｒ．Ｃｏｘおよび彼のグループは、冷凍プローブ（冷凍Ｍａｚｅ）を用い、Ｃｏｘ−Ｍａｚｅ  ＩＩＩ処置の本質的要素を再現した（ｄｕｐｌｉｃａｔｅ）。
【０００８】
ＡＦ治療に対するより最近のアプローチは、超音波エネルギーを用いることを伴う。肺静脈を囲む領域の標的組織は、１つ以上の超音波トランスデューサによって放出される超音波エネルギーによって加熱される。そのようなアプローチの１つは、バルーンが装備され超音波要素を含むカテーテル遠位先端部分を含む。バルーンは、肺静脈にカテーテルの先端を固定する（ｓｅｃｕｒｅ）固定（ａｎｃｈｏｒｉｎｇ）手段として働く。カテーテルのバルーン部分は選択された肺静脈に位置を決められ、バルーンは、超音波エネルギーに透明である流体で膨張させられる。トランスデューサは、超音波エネルギーを放出し、その超音波エネルギーは、肺静脈におけるまたは肺静脈の近くの標的組織に伝わり、その標的組織を切除する。意図された療法は、肺静脈の周りの電気的伝導経路を破壊し、それによって正常洞調律を回復する。療法は、必要に応じて個々の肺静脈の周りに多数の外傷を作ることを伴う。
【０００９】
超音波エネルギーを用いるさらに別のカテーテルデバイスは、標的組織の三次元像を作る目的でグリッドパターンの超音波要素の配列を持つ先端を有するカテーテルを含む。画像化グリッドを取り囲むリング形状の切除超音波トランスデューサが提供される。切除トランスデューサは、１０ＭＨｚ周波数の超音波エネルギーのリングを放出する。
【００１０】
そのような切除療法はそれだけで有望であるが、単一ユニットでこれらの切除療法を画像化能力に結合するデバイスおよびシステムが好ましい。治療領域に対して切除デバイスの位置を正しく決めるためにかつ治療の進行を評価するために、治療領域を感知することまたは画像化すること（しばしば交換可能で用いられる）を提供することが特に有用である。そのような画像化は、標的の組織領域のみが切除されることをシステムまたはオペレータが確実にすることを助ける。さらに心臓組織など動く標的において、画像化によって識別された最初の標的は動き得、従って非標的組織が不注意に切除され得る。従って、同時発生（または、ほとんど同時発生）の画像化が、非標的組織を切除するリスクを最小にする。従って、組織切除のために超音波技術を用いる１つの満たされていないニーズは、画像化および切除の両方の能力のあるデバイスを提供することである。
【００１１】
この目標を達成することは、画像化機能も提供するために従来の超音波切除システムの基本的な構成要素を再設計することを伴う。典型的には、超音波切除システムはトランスデューサアセンブリを用いて達成される。トランスデューサアセンブリは、一般的にはジルコン酸鉛チタン酸塩（ＰＺＴ）結晶などの１つ以上の圧電的活性要素であるトランスデューサ要素を含む。ＰＺＴ結晶は、しばしば、効率的な送電を容易にするためかつ画像化性能を向上させるために、切除面上に音響的（インピーダンス）整合層（ｍａｔｃｈｉｎｇ  ｌａｙｅｒ）を含む。さらに、結晶は、適切な方向にあらゆる超音波ビームを反射させるかまたは吸収するために、非切除面上のバッキング（ｂａｃｋｉｎｇ）に接合され得る。典型的に療法の目的で用いられる従来の音響トランスデューサは、周波数領域において良好な画像化性能に必要な帯域幅より狭い帯域幅を有する音響的に大きいしばしば単一結晶のデバイスである。従来の音響トランスデューサは、標的組織に音響エネルギーを効率的に伝導するように設計されているが、狭帯域幅を有する結晶デバイスは、画像化に適さないものとしてこれまで見られていた。これは、従来の切除トランスデューサが画像化および切除の両方ために最適化された超音波周波数の帯域幅を扱うことができないと認められていることに起因する。切除はより狭い範囲の周波数を用いて達成され得るが、画像化は通常広い範囲の周波数を用いて行われる。従って、画像化の帯域幅に適応するために切除に用いられるより広い帯域幅にＰＺＴが適応可能であることが望ましい。
【００１２】
より広いトランスデューサ帯域幅は、しばしば、整合層を用いることによって達成される。整合層は、典型的には、ＰＺＴの音響インピーダンスと組織との間の音響インピーダンスを有する材料を用い、超音波周波数の１／４の波長に近い厚さが利用される。整合層はＰＺＴから組織の中への超音波の伝送を改善するためにしばしば用いられるが、整合層はまたＰＺＴの機械的応答を減衰させ、ＰＺＴの帯域幅を広くさせるためにも用いられ得る。この減衰は、結果として、トランスデューサ効率をいくらか減少させることをもたらし得る。さらに広帯域幅トランスデューサは、広帯域幅トランスデューサが整合層の熱的に絶縁する特性に一部起因して効果的に冷却され得ないために高出力レベルで動作することが可能ではない場合がある。より高い帯域幅を有する従来のＰＺＴトランスデューサは、しばしば、電気エネルギーを音響エネルギーに変換する際にわずか３０％〜５０％の効率であり得、エネルギー多くは、熱に変換され、トランスデューサアセンブリにおいて失われる。超音波エネルギーへの変換の際の効率の欠如の他に、熱はＰＺＴの効率をさらに減少させ、ＰＺＴ結晶を減極させ（ｄｅｐｏｌｅ）得、トランスデューサとしての機能を停止させ得る。
【００１３】
従って、さらなる課題は、市販のシステムに現在提供されている動作温度より低い動作温度を維持するためにトランスデューサを冷却することである。冷却されたトランスデューサは、より激しく駆動され得る。すなわち、冷却されたトランスデューサは、より高い電力に耐え、より高い音響出力を生成し得る。この高い音響出力は、損傷サイズを増加させかつ／または損傷を作るのに要する時間を減少させる際に有用である。これらの属性の両方とも、ＡＦを治療する臨床用途において重要である。
【００１４】
トランスデューサを冷却する１つの方法は、トランスデューサのサイズに依存する出力密度および熱消散を利用することである。トランスデューサの直径（および対応する表面積）が増加すると、出力密度は下落し、単位面積当りの熱消散もまた下落する。トランスデューサが十分に大きい場合、従来の冷却方法は、トランスデューサを冷えた状態に保つことに十分であり得る。しかしながら、介入的アプローチを用いる、切除に適したカテーテルにおいて、トランスデューサは必然的に小さくなければならず、さらに組織を切除するのに必要な出力密度レベルを生成ことも可能でなければならない。そのようなトランスデューサにおいて、サイズは、トランスデューサの温度を調節する適切な方法ではない。従って、小さいトランスデューササイズならびにその結果の高い出力密度および低い熱消散により、代替のアプローチはトランスデューサを冷却することが保証される。
【００１５】
１つの可能性のある解決策は、トランスデューサを冷却する流体を用いることである。一般的に、トランスデューサの周りに流れる血液などの体液は、冷却流体として用いられ得る。しかしながら、トランスデューサが加熱された場合、血液は、変性し、トランスデューサの周りに集まる傾向がある。心房にクロットを作る可能性という付随した問題の他に、変性した血液はまた、トランスデューサの面に付着し得、絶縁層を作り得、トランスデューサの性能をさらに減少させ得る。対照的に、食塩水または水などの導入された流体（非体液）は、血液と同じ付随した問題を有しなく、より低いトランスデューサ動作温度を維持するように有用である。しかしながら、効果的にするために、これらの導入された流体は、トランスデューサの全ての面を冷却するためにトランスデューサの全体に効果的に輸送されなければならない。流体の輸送が不適切である場合、冷却されない領域は、トランスデューサの効率を妨げ得る「ホットスポット」を発達させ得る。
【００１６】
単一結晶超音波療法システムなどのいくつかデバイスは、画像化および療法の目的で報告されてきたが、どれもトランスデューサ全体を冷却する方法を開示しない。単一結晶モデルの懸念を回避する他の多結晶トランスデューサアセンブリもまた利用可能である。これらのシステムのいくつかは、トランスデューサ結晶の後部を冷却する方法を提供する。しかしながら、これらのシステムまたは方法のどれも、トランスデューサ結晶の全体を冷却することを含まない。上記のように、トランスデューサの全ての面（前部および後部）を冷却することが重要である。トランデューサの一部のみを冷却することは、トランスデューサのいくつかの領域に「ホットスポット」を引き起こし得、それによって、切除および画像化の両方が必要である状況においてトランスデューサの効率を減少させ得る。
【００１７】
結合された画像化能力および切除能力を実現するために、いくつかのシステムは、別個の画像化ユニットおよび切除ユニットを有する。例えば、１つの市販のシステムは、治療および画像化システムを含む。このシステムは、患者の治療領域から画像化情報を得るように適合された超音波トランスデューサを有するプローブおよび超音波エネルギーを治療領域に送達する別個のアーム部材も含む。当然のことながら、これらは、かさばり、カテーテルベースのシステムにおける使用にあまり適していない。結合された画像化ユニットおよび切除ユニットの変種は、画像化および切除のために別個のトランスデューサ要素を用いることである。このアプローチは、多くの欠点を被り、その多く欠点は、機能的にいって切除された組織が画像化された組織と同一ではないことと、構造的にいって画像化要素および切除要素のこの分離した形状がハウジングにおいてより多くのスペースを占めことであって、特に、介入アプローチにおいて用いられるようにトランスデューサがカテーテルの先端にある場合、トランスデューサアセンブリにおいてスペースが限定される、こととを含む。さらに、多要素デバイスは、トランスデューサ要素を冷却するのに必要な複雑な配置と共に、製造するのに、より費用がかかり、より不都合である。さらに、多要素デバイスは、調整不良となる傾向があり、このことは、多要素デバイスを用いることをより困難にし得る。また、多要素デバイスは、典型的には多要素デバイスを制御し用いるためにより複雑かつ高価なシステムを必要とする。
【００１８】
従って、結合された画像化能力および切除能力を有する超音波デバイスの分野においてさらなる改善がなおも望まれる。動作効率を保護し維持するためにトランスデューサの全ての面が冷却される単一結晶トランスデューサを有するデバイスを提供することが望ましい。使い易く、製造し易く、現在の市販のシステムよりコストが低いそのようなシステムを提供することもまた望ましい。
【００１９】
（２．背景技術の説明）
心房細動の治療に関する特許は、以下のものを含むが、これらに限定されない：特許文献１、特許文献２、特許文献３、特許文献４、特許文献５、特許文献６、特許文献７、特許文献８、特許文献９、特許文献１０、米国特許第６，９２９，６３９号、第６，８７２，２０５号、第６，８１４，７３３号、第６，７８０，１８３号、第６，６６６，８５８号、第６，６５２，５１５号、第６，６３５，０５４号、第６，６０５，０８４号、第６，５４７，７８８号、第６，５１４，２４９号、第６，５０２，５７６号、第６，５００，１２１号、第６，４１６，５１１号、第６，３８３，１５１号、第６，３０５，３７８号、第６，２５４，５９９号、第６，２４５，０６４号、第６，１６４，２８３号、第６，１６１，５４３号、第６，１１７，１０１号、第６，０２４，９０２号、第６，０５２，５７６号、第６，０２４，７４０号、第６，０１２，４５７号、第５，６２９，９０６号、第５，４０５，３４６号、第５，３１４，４６６号、第５，２９５，４８４号、第５，２４６，４３８号、第４，７５７，８２０号および第４，６４１，６４９号。
【００２０】
心房細動の治療に関する特許公開は、国際ＰＣＴ公開第ＷＯ２００５／１１７７３４号、第ＷＯ１９９９／００２０９６号、および米国特許公開第２００５／０２６７４５３号、２００３／００５０６３１号、第２００３／００５０６３０号、および第２００２／００８７１５１号を含むが、これらに限定されない。
【００２１】
心房細動の治療に関する科学公開は、非特許文献１、非特許文献２、非特許文献３、非特許文献４、非特許文献５、非特許文献６、非特許文献７、非特許文献８、非特許文献９、非特許文献１０、非特許文献１１、非特許文献１２、および非特許文献１３を含むが、これらに限定されない。
【先行技術文献】
【特許文献】
【００２２】
【特許文献１】米国特許第７，３９３，３２５号明細書
【特許文献２】米国特許第７，１４２，９０５号明細書
【特許文献３】米国特許第６，９９７，９２５号明細書
【特許文献４】米国特許第６，９９６，９０８号明細書
【特許文献５】米国特許第６，９６６，９０８号明細書
【特許文献６】米国特許第６，９６４，６６０号明細書
【特許文献７】米国特許第６，９５５，１７３号明細書
【特許文献８】米国特許第６，９５４，９７７号明細書
【特許文献９】米国特許第６，９５３，４６０号明細書
【特許文献１０】米国特許第６，９４９，０９７号明細書
【非特許文献】
【００２３】
【非特許文献１】Ｈａｉｓｓａｇｕｅｒｒｅ，Ｍ．ら、Ｓｐｏｎｔａｎｅｏｕｓ  Ｉｎｉｔｉａｔｉｏｎ  ｏｆ  Ａｔｒｉａｌ  Ｆｉｂｒｉｌｌａｔｉｏｎ  ｂｙ  Ｅｃｔｏｐｉｃ  Ｂｅａｔｓ  Ｏｒｉｇｉｎａｔｉｎｇ  ｉｎ  ｔｈｅ  Ｐｕｌｍｏｎａｒｙ  Ｖｅｉｎｓ，Ｎｅｗ  Ｅｎｇｌａｎｄ  Ｊ  Ｍｅｄ．，Ｖｏｌ．３３９：６５９−６６６
【非特許文献２】Ｊ．Ｌ．Ｃｏｘら、Ｔｈｅ  Ｄｅｖｅｌｏｐｍｅｎｔ  ｏｆ  ｔｈｅ  Ｍａｚｅ  Ｐｒｏｃｅｄｕｒｅ  ｆｏｒ  ｔｈｅ  Ｔｒｅａｔｍｅｎｔ  ｏｆ  Ａｔｒｉａｌ  Ｆｉｂｒｉｌｌａｔｉｏｎ，Ｓｅｍｉｎａｒｓ  ｉｎ  Ｔｈｏｒａｃｉｃ  ＆  Ｃａｒｄｉｏｖａｓｃｕｌａｒ  Ｓｕｒｇｅｒｙ，２０００；１２：２−１４
【非特許文献３】Ｊ．Ｌ．Ｃｏｘら、Ｅｌｅｃｔｒｏｐｈｙｓｉｏｌｏｇｉｃ  Ｂａｓｉｓ，Ｓｕｒｇｉｃａｌ  Ｄｅｖｅｌｏｐｍｅｎｔ，ａｎｄ  Ｃｌｉｎｉｃａｌ  Ｒｅｓｕｌｔｓ  ｏｆ  ｔｈｅ  Ｍａｚｅ  Ｐｒｏｃｅｄｕｒｅ  ｆｏｒ  Ａｔｒｉａｌ  Ｆｌｕｔｔｅｒ  ａｎｄ  Ａｔｒｉａｌ  Ｆｉｂｒｉｌｌａｔｉｏｎ，Ａｄｖａｎｃｅｓ  ｉｎ  Ｃａｒｄｉａｃ  Ｓｕｒｇｅｒｙ，１９９５；６：１−６７
【非特許文献４】Ｊ．Ｌ．Ｃｏｘら、Ｍｏｄｉｆｉｃａｔｉｏｎ  ｏｆ  ｔｈｅ  Ｍａｚｅ  Ｐｒｏｃｅｄｕｒｅ  ｆｏｒ  Ａｔｒｉａｌ  Ｆｌｕｔｔｅｒ  ａｎｄ  Ａｔｒｉａｌ  Ｆｉｂｒｉｌｌａｔｉｏｎ．ＩＩ，Ｓｕｒｇｉｃａｌ  Ｔｅｃｈｎｉｑｕｅ  ｏｆ  ｔｈｅ  Ｍａｚｅ  ＩＩＩ  Ｐｒｏｃｅｄｕｒｅ，Ｊｏｕｒｎａｌ  ｏｆ  Ｔｈｏｒａｃｉｃ  ＆  Ｃａｒｄｉｏｖａｓｃｕｌａｒ  Ｓｕｒｇｅｒｙ，１９９５；１１０：４８５−９５
【非特許文献５】Ｊ．Ｌ．Ｃｏｘ，Ｎ．Ａｄ，Ｔ．Ｐａｌａｚｚｏら、Ｃｕｒｒｅｎｔ  Ｓｔａｔｕｓ  ｏｆ  ｔｈｅ  Ｍａｚｅ  Ｐｒｏｃｅｄｕｒｅ  ｆｏｒ  ｔｈｅ  Ｔｒｅａｔｍｅｎｔ  ｏｆ  Ａｔｒｉａｌ  Ｆｉｂｒｉｌｌａｔｉｏｎ，  Ｓｅｍｉｎａｒｓ  ｉｎ  Ｔｈｏｒａｃｉｃ  ＆  Ｃａｒｄｉｏｖａｓｃｕｌａｒ  Ｓｕｒｇｅｒｙ，２０００；１２：１５−１９
【非特許文献６】Ｍ．Ｌｅｖｉｎｓｏｎ，Ｅｎｄｏｃａｒｄｉａｌ  Ｍｉｃｒｏｗａｖｅ  Ａｂｌａｔｉｏｎ：Ａ  Ｎｅｗ  Ｓｕｒｇｉｃａｌ  Ａｐｐｒｏａｃｈ  ｆｏｒ  Ａｔｒｉａｌ  Ｆｉｂｒｉｌｌａｔｉｏｎ；Ｔｈｅ  Ｈｅａｒｔ  Ｓｕｒｇｅｒｙ  Ｆｏｒｕｍ，２００６
【非特許文献７】Ｍａｅｓｓｅｎら、Ｂｅａｔｉｎｇ  Ｈｅａｒｔ  Ｓｕｒｇｉｃａｌ  Ｔｒｅａｔｍｅｎｔ  ｏｆ  Ａｔｒｉａｌ  Ｆｉｂｒｉｌｌａｔｉｏｎ  ｗｉｔｈ  Ｍｉｃｒｏｗａｖｅ  Ａｂｌａｔｉｏｎ，Ａｎｎ  Ｔｈｏｒａｃ  Ｓｕｒｇ  ７４：１１６０−８，２００２
【非特許文献８】Ａ．Ｍ．Ｇｉｌｌｉｎｏｖ，Ｅ．Ｈ．ＢｌａｃｋｓｔｏｎｅおよびＰ．Ｍ．ＭｃＣａｒｔｈｙ，Ａｔｒｉａｌ  Ｆｉｂｒｉｌｌａｔｉｏｎ：Ｃｕｒｒｅｎｔ  Ｓｕｒｇｉｃａｌ  Ｏｐｔｉｏｎｓ  ａｎｄ  ｔｈｅｉｒ  Ａｓｓｅｓｓｍｅｎｔ，Ａｎｎａｌｓ  ｏｆ  Ｔｈｏｒａｃｉｃ  Ｓｕｒｇｅｒｙ  ２００２；７４：２２１０−７
【非特許文献９】Ｓｕｅｄａ  Ｔ．，Ｎａｇａｔａ  Ｈ．，Ｏｒｉｈａｓｈｉ  Ｋ．ら、Ｅｆｆｉｃａｃｙ  ｏｆ  ａ  Ｓｉｍｐｌｅ  Ｌｅｆｔ  Ａｔｒｉａｌ  Ｐｒｏｃｅｄｕｒｅ  ｆｏｒ  Ｃｈｒｏｎｉｃ  Ａｔｒｉａｌ  Ｆｉｂｒｉｌｌａｔｉｏｎ  ｉｎ  Ｍｉｔｒａｌ  Ｖａｌｖｅ  Ｏｐｅｒａｔｉｏｎｓ，Ａｎｎ  Ｔｈｏｒａｃ  Ｓｕｒｇ  １９９７；６３：１０７０−１０７５
【非特許文献１０】Ｓｕｅｄａ  Ｔ．，Ｎａｇａｔａ  Ｈ．，Ｓｈｉｋａｔａ  Ｈ．ら、Ｓｉｍｐｌｅ  Ｌｅｆｔ  Ａｔｒｉａｌ  Ｐｒｏｃｅｄｕｒｅ  ｆｏｒ  Ｃｈｒｏｎｉｃ  Ａｔｒｉａｌ  Ｆｉｂｒｉｌｌａｔｉｏｎ  Ａｓｓｏｃｉａｔｅｄ  ｗｉｔｈ  Ｍｉｔｒａｌ  Ｖａｌｖｅ  Ｄｉｓｅａｓｅ，Ａｎｎ  Ｔｈｏｒａｃ  Ｓｕｒｇ  １９９６；６２：１７９６−１８００
【非特許文献１１】Ｎａｔｈａｎ  Ｈ．，Ｅｌｉａｋｉｍ  Ｍ．，Ｔｈｅ  Ｊｕｎｃｔｉｏｎ  Ｂｅｔｗｅｅｎ  ｔｈｅ  Ｌｅｆｔ  Ａｔｒｉｕｍ  ａｎｄ  ｔｈｅ  Ｐｕｌｍｏｎａｒｙ  Ｖｅｉｎｓ，Ａｎ  Ａｎａｔｏｍｉｃ  Ｓｔｕｄｙ  ｏｆ  Ｈｕｍａｎ  Ｈｅａｒｔｓ、Ｃｉｒｃｕｌａｔｉｏｎ  １９６６；３４：４１２−４２２）
【非特許文献１２】Ｃｏｘ  Ｊ．Ｌ．Ｓｃｈｕｅｓｓｌｅｒ  Ｒ．Ｂ．，Ｂｏｉｎｅａｕ  Ｊ．Ｐ．，Ｔｈｅ  Ｄｅｖｅｌｏｐｍｅｎｔ  ｏｆ  ｔｈｅ  Ｍａｚｅ  Ｐｒｏｃｅｄｕｒｅ  ｆｏｒ  ｔｈｅ  Ｔｒｅａｔｍｅｎｔ  ｏｆ  Ａｔｒｉａｌ  Ｆｉｂｒｉｌｌａｔｉｏｎ、Ｓｅｍｉｎ  Ｔｈｏｒａｃ  Ｃａｒｄｉｏｖａｓｃ  Ｓｕｒｇ  ２０００；１２：２−１４
【非特許文献１３】Ｇｅｎｔｒｙら、Ｉｎｔｅｇｒａｔｅｄ  Ｃａｔｈｅｔｅｒ  ｆｏｒ  ３−Ｄ  Ｉｎｔｒａｃａｒｄｉａｃ  Ｅｃｈｏｃａｒｄｉｏｇｒａｐｙ  ａｎｄ  Ｕｌｔｒａｓｏｕｎｄ  Ａｂｌａｔｉｏｎ，ＩＥＥＥ  Ｔｒａｎｓａｃｔｉｏｎｓ  ｏｎ  Ｕｌｔｒａｓｏｎｉｃｓ，Ｆｅｒｒｏｅｌｅｃｔｒｉｃｓ，ａｎｄ  Ｆｒｅｑｕｅｎｃｙ  Ｃｏｎｔｒｏｌ，Ｖｏｌ．５１，Ｎｏ．７，ｐｐ  ７９９−８０７
【発明の概要】
【課題を解決するための手段】
【００２４】
（発明の概要）
本発明は、組織に損傷を作るために用いられ得る、結合された画像化能力および療法能力を有するトランスデューサアセンブリを開示する。好ましい実施形態において、トランスデューサアセンブリは、迷入の電気的経路をブロックする伝導ブロックを標的組織に作り組織を切除するために用いられる。従って、トランスデューサアセンブリは、細動または他の不整脈ならびに組織に損傷を作ることを必要とする他の状態に対する治療として用いられ得る。
【００２５】
本発明の第１の局面において、トランスデューサシステムは、近位表面と遠位表面とを備えているトランスデューサ要素と、トランスデューサ要素の遠位表面に取り付けられた第１のヒートシンクとを備えている。システムはまた、トランスデューサ要素の近位表面に取り付けられた第２のヒートシンクと、第１のヒートシンクおよび第２のヒートシンクに結合されたベースとを有する。ベースは、トランスデューサ要素の近位表面と遠位表面とを冷却するためにトランスデューサ要素、およびヒートシンクを通過して流体が流れることを可能にするように構成される。
【００２６】
システムは、ベースと、トランスデューサ要素と、第１のヒートシンクと、第２のヒートシンクとを収納するように構成される管状のジャケットをさらに備え得る。管状のジャケットは、管状のジャケットから流体が出ることを可能にするように構成される少なくとも１つの流体出口ポートを備え得る。第１のヒートシンクは、第１の接合部分と、第１の実質的に湾曲した部分とを備え得る。第１の接合部分は、トランスデューサの遠位表面に接合され得、第１の実質的に湾曲した部分は、トランスデューサ要素から近位に突き出得、それによって、トランスデューサ要素の遠位表面から熱を逃がすように伝え得る。第１の接合部分は、材料であって、その組成および寸法がトランスデューサ要素の遠位表面に音響的整合層を提供する、材料を含み得る。第１の接合部分は、アルミニウムと、グラファイトと、金属充填グラファイトと、セラミックと、グラファイトおよび銅またはタングステンのアマルガムと、エポキシ充填金属とからなる群から選ばれる材料を含み得る。接合部分は、トランスデューサ要素の遠位表面と電気的連絡および／または熱的連絡をし得る。接合部分と遠位表面との間の電気的連絡は、接合部分と遠位表面との間の直接接触によって確立され得る。直接接触は、接合部分および遠位表面の表面あらさによって制御され得る。
【００２７】
第２のヒートシンクは、第２の接合部分と、第２の実質的に湾曲した部分とを備え得る。第２の接合部分は、トランスデューサの近位表面に接合され得、第２の実質的に湾曲した部分は、トランスデューサ要素から近位に突き出得、それによって、トランスデューサ要素の近位表面から熱を逃がすように伝え得る。第２の接合部分は、材料であって、その組成がトランスデューサ要素の音響インピーダンスに音響的に不整合であり、それによって、トランスデューサ要素の近位表面に反射バッキング層を提供する、材料を含み得る。第２の接合部分は銅などの金属を含み得る。エアポケットは、トランスデューサの近位表面と第２のヒートシンクとの間に配置され得る。
【００２８】
トランスデューサ要素は、実質的に平らな円形のディスクを備え得、トランスデューサ要素は、第１の周波数範囲において第１の出力レベルおよび第２の周波数範囲において第２の出力レベルで動作し得る。第１の周波数範囲は組織を超音波による画像化するために用いられ得、第２の周波数範囲は組織損傷を作るために用いられ得る。第１の周波数範囲は５ＭＨｚ〜３０ＭＨｚであり得、第２の周波数範囲は１０ＭＨｚ〜１８ＭＨｚであり得る。
【００２９】
第１の接合部分および第２の接合部分は目打ちを含むマトリックスを備え、その結果、第１の接合部分はトランスデューサ要素の音響インピーダンスに音響的に整合し、第２の接合部分はトランスデューサ要素の音響インピーダンスに音響的に不整合である。システムは、近位端と遠位端とを有する細長い可撓性シャフトをさらに備え、トランスデューサはシャフトの遠位端に隣接して配置され得る。システムはまた、トランスデューサと流体連絡する冷却流体を備え得る。システムは、トランスデューサまたはトランスデューサを通過して流れる冷却流体の温度を監視するために、トランスデューサに隣接して温度センサを備え得る。冷却流体流量またはトランスデューサ出力レベルに対する調整は、監視された温度に基づいてなされ得る。
【００３０】
本発明の別の局面において、組織を切除する方法は、患者の中に切除デバイスを導入することを包含する。デバイスは、第１の出力レベルおよび第２の出力レベルで動作するように構成される超音波トランスデューサ要素を備えている。第１の出力レベルは、組織を超音波による画像化し、標的組織を識別するために用いられ、第２の出力レベルは、標的組織を切除するために用いられる。第１の出力レベルでトランスデューサ要素を動作させることは、組織の一部分を画像化ことおよび標的組織を識別することを可能にする。第２の出力レベルで動作させることは、標的組織を切除する。超音波トランスデューサの表面は、動作中、冷却される。
【００３１】
トランスデューサ要素は、近位表面と遠位表面とを備え得、デバイスは、トランスデューサ要素の遠位表面および近位表面にそれぞれ接合された第１および第２のヒートシンクをさらに備え得る。冷却するステップは、トランスデューサ要素の動作中、トランスデューサ要素ならびに第１のヒートシンクおよび第２のヒートシンクに流体を導入し、それによって、トランスデューサ要素をさらに冷却することを包含し得る。トランスデューサ要素は、第１の部分と第２の部分とを備え得る。第１の部分は第１の出力レベルで動作するように構成され得、第２の部分は記第２の出力レベルで動作するように構成され得る。第１の部分は、第２の出力レベルでの第２の部分の動作と同時に第１の出力レベルで動作させられ得る。導入するステップは、患者の心臓の隔壁を横切って中隔を越えて切除デバイスを通過させることを包含し得る。導入するステップはまた、患者の心臓の左心房の中に切除デバイスの位置を決めることを包含し得る。トランスデューサと標的組織とは直接接触しないことがあり得る。
【００３２】
これらおよび他の実施形態は、添付の図面に関連して以下の説明においてさらに詳細に説明される。
本発明は、例えば、以下を提供する。
（項目１）
近位表面と遠位表面とを備えているトランスデューサ要素と、
該トランスデューサ要素の該遠位表面に取り付けられた第１のヒートシンクと、
該トランスデューサ要素の該近位表面に取り付けられた第２のヒートシンクと、
該第１のヒートシンクおよび第２のヒートシンクに結合されたベースであって、該ベースは、該トランスデューサ要素の該近位表面および遠位表面を冷却するために該トランスデューサ要素を通過して流体が流れることを可能にするように構成される、ベースと
を備えている、トランスデューサシステム。
（項目２）
上記ベースと、上記トランスデューサ要素と、上記第１のヒートシンクと、上記第２のヒートシンクとを収納するように構成される管状のジャケットをさらに備え、該管状のジャケットは、該管状のジャケットから流体が出ることを可能にするように構成される少なくとも１つの流体出口ポートを備えている、項目１に記載のシステム。
（項目３）
上記第１のヒートシンクは、第１の接合部分と、第１の実質的に湾曲した部分とを備え、該第１の接合部分は、上記トランスデューサの上記遠位表面に接合され、該第１の実質的に湾曲した部分は、該トランスデューサ要素から近位に突き出ることによって、該トランスデューサ要素の該遠位表面から熱を逃がすように伝える、項目１に記載のシステム。
（項目４）
上記第１の接合部分は、材料を含み、該材料の組成および寸法が上記トランスデューサ要素の上記遠位表面に音響的整合層を提供する、項目３に記載のシステム。
（項目５）
上記第１の接合部分は、アルミニウムと、グラファイトと、金属充填グラファイトと、セラミックと、グラファイトおよび銅またはタングステンのアマルガムと、エポキシ充填金属とからなる群から選ばれる材料である、項目４に記載のシステム。
（項目６）
上記接合部分は、上記トランスデューサ要素の上記遠位表面と電気的連絡かつ熱的連絡をしている、項目５に記載のシステム。
（項目７）
上記接合部分と上記遠位表面との間の電気的連絡は、該接合部分と該遠位表面との間の直接接触によって確立される、項目６に記載のシステム。
（項目８）
上記直接接触は、上記接合部分および上記遠位表面の表面あらさによって制御される、項目７に記載のシステム。
（項目９）
上記第２のヒートシンクは、第２の接合部分と、第２の実質的に湾曲した部分とを備え、該第２の接合部分は、上記トランスデューサの上記近位表面に接合され、該第２の実質的に湾曲した部分は、該トランスデューサ要素から近位に突き出ることによって、該トランスデューサ要素の該近位表面から熱を逃がすように伝える、項目１に記載のシステム。
（項目１０）
上記第２の接合部分は、材料を含み、該材料の組成が上記トランスデューサ要素の音響インピーダンスに音響的に不整合であることによって、該トランスデューサ要素の上記近位表面に反射バッキング層を提供する、項目９に記載のシステム。
（項目１１）
上記トランスデューサの上記近位表面と上記第２のヒートシンクとの間に配置されるエアポケットをさらに備えている、項目１に記載のシステム。
（項目１２）
上記第２の接合部分は銅を含む、項目９に記載のシステム。
（項目１３）
上記トランスデューサ要素は、実質的に平らな円形のディスクを備えている、項目１に記載のシステム。
（項目１４）
上記トランスデューサ要素は、第１の周波数範囲において第１の出力レベルおよび第２の周波数範囲において第２の出力レベルで動作する、項目１に記載のシステム。
（項目１５）
上記第１の周波数範囲は組織を超音波による画像化するために用いられ、上記第２の周波数範囲は組織損傷を作るために用いられる、項目１４に記載のシステム。
（項目１６）
上記第１の周波数範囲は５ＭＨｚ〜３０ＭＨｚであり、上記第２の周波数範囲は１０ＭＨｚ〜１８ＭＨｚである項目１５に記載のシステム。
（項目１７）
上記第１の接合部分および上記第２の接合部分は目打ちを備え、その結果、該第１の接合部分は上記トランスデューサ要素の上記音響インピーダンスに音響的に整合し、該第２の接合部分は該トランスデューサ要素の該音響インピーダンスに音響的に不整合である、項目３に記載のシステム。
（項目１８）
近位端と遠位端とを有する細長い可撓性シャフトをさらに備え、上記トランスデューサは該シャフトの該遠位端に隣接して配置される、項目１に記載のシステム。
（項目１９）
上記トランスデューサと流体連絡する冷却流体をさらに備えている、項目１に記載のシステム。
（項目２０）
温度をモニタするために、上記トランスデューサに隣接して温度センサをさらに備えている、項目１に記載のシステム。
（項目２１）
組織を切除する方法であって、該方法は、
患者に切除デバイスを導入することであって、該デバイスは、第１の出力レベルおよび第２の出力レベルで動作するように構成される超音波トランスデューサ要素を備え、該第１の出力レベルは、組織を超音波による画像化し、標的組織を識別するために用いられ、該第２の出力レベルは、該標的組織を切除するために用いられる、ことと、
該組織の一部分を画像化し、該標的組織を識別するために該第１の出力レベルで該トランスデューサ要素を動作させ、該標的組織を切除するために該第２の出力レベルで該トランスデューサ要素を動作させることと、
該超音波トランスデューサの表面を冷却することと
を包含する、方法。
（項目２２）
上記トランスデューサ要素は、近位表面と遠位表面とを備え、上記デバイスは、該トランスデューサ要素の該遠位表面および近位表面に接合された第１および第２のヒートシンクをさらに備えている、項目２１に記載の方法。
（項目２３）
上記冷却することは、上記トランスデューサ要素の動作中、上記トランスデューサ要素ならびに上記第１のヒートシンクおよび第２のヒートシンクに流体を導入することによって、該トランスデューサ要素をさらに冷却する、項目２１に記載の方法。
（項目２４）
上記流体の温度をモニタすることと、該モニタされた温度に基づいて流体の流れを調整することをさらに包含する、項目２３に記載の方法。
（項目２５）
上記トランスデューサ要素は、第１の部分と第２の部分とを備え、該第１の部分は上記第１の出力レベルで動作するように構成され、該第２の部分は上記第２の出力レベルで動作するように構成される、項目２１に記載の方法。
（項目２６）
上記第１の部分は、上記第２の出力レベルでの上記第２の部分の動作と同時に上記第１の出力レベルで動作させられる、項目２５に記載の方法。
（項目２７）
上記導入するステップは、患者の心臓の隔壁を横切って中隔を越えて上記切除デバイスを通過させることを包含する、項目２１に記載の方法。
（項目２８）
上記導入するステップは、患者の心臓の左心房の中に上記切除デバイスの位置を決めることを包含する、項目２１に記載の方法。
（項目２９）
上記超音波トランスデューサと上記標的組織とは接触しない、項目２８に記載の方法。
（項目３０）
上記トランスデューサ要素の温度をモニタすることと、該モニタされた温度に基づいて上記第１の出力レベルまたは上記第２の出力レベルのいずれかを調整することをさらに包含する、項目２１に記載の方法。
【図面の簡単な説明】
【００３３】
【図１Ａ】図１Ａは、トランスデューサアセンブリを用いて組織を治療する例示的システムを示す。
【図１Ｂ】図１Ｂ〜図１Ｃは、トランスデューサアセンブリの例示的実施形態を示す。
【図１Ｃ】図１Ｂ〜図１Ｃは、トランスデューサアセンブリの例示的実施形態を示す。
【図２Ａ】図２Ａ〜図２Ｄは、トランスデューサ要素の代替の実施形態を示す。
【図２Ｂ】図２Ａ〜図２Ｄは、トランスデューサ要素の代替の実施形態を示す。
【図２Ｃ】図２Ａ〜図２Ｄは、トランスデューサ要素の代替の実施形態を示す。
【図２Ｄ】図２Ａ〜図２Ｄは、トランスデューサ要素の代替の実施形態を示す。
【図３】図３は、第１のヒートシンクを有するトランスデューサ要素を示す。
【図４】図４は、第２のヒートシンクを有するトランスデューサ要素を示す。
【図５】図５は、管状のジャケット内のトランスデューサを示す。
【図６】図６は、組織における切除パターンを示す。
【図７Ａ】図７Ａ〜図７Ｄは、組織における切除の進行を示す。
【図７Ｂ】図７Ａ〜図７Ｄは、組織における切除の進行を示す。
【図７Ｃ】図７Ａ〜図７Ｄは、組織における切除の進行を示す。
【図７Ｄ】図７Ａ〜図７Ｄは、組織における切除の進行を示す。
【図８】図８は、代替の損傷形状を示す。
【発明を実施するための形態】
【００３４】
（発明の詳細の説明）
詳細な説明は多くの特殊例を含むが、これらは、本発明の範囲を限定するものとして解釈されるべきではなく、単に本発明の種々の実施例および局面を示すものとして解釈されるべきである。本発明の範囲が上記に詳細に考察されない他の実施形態を含むことは理解されるべきである。当業者に明らかである様々な他の修正、変更および変種が、ここに説明されるような本発明の精神および範囲から逸脱することなく、本明細書において開示される本発明の配置、動作、方法および装置の詳細においてなされ得る。
【００３５】
本発明は、人の組織において切除帯を作ることに関し、より具体的には、組織損傷を作るために用いられるトランスデューサアセンブリ（またはサブアセンブリ）に関する。図１Ａは、上記に参照される関係する親出願に説明されるように、人の組織に切除帯を作るシステムの例示的実施形態の線図である。カテーテルデバイスＣは、シースＳ内に収納される。カテーテルＣの近位部分は、コンソールＰに結合される。超音波トランスデューササブアセンブリＴを備えている、カテーテルＣの遠位部分は、心臓の中に、好ましくは経中隔で患者の肺静脈ＰＶに隣接した左心房（ＬＡ）の中に導入される。トランスデューササブアセンブリＴは、組織を切除するために超音波エネルギーを提供するように電圧を加えられる。コンソールＰは、トランスデューササブアセンブリＴへのエネルギー送達、ならびに切除経路を追跡するためにカテーテルＣの遠位部分の動きを制御する。切除システムについてのさらなる詳細は、参照によって本明細書に援用された先の米国仮特許出願第６１／２５４，９９７号に開示される。
【００３６】
簡潔にするため、トランスデューササブセンブリは、本明細書において、組織を感知し切除するためのカテーテルの一実施形態に関して説明される。しかしながら、本発明のトランスデューサアセンブリは、医療分野および非医療分野の両方において任意の適切なデバイスと共に利用され得る。
【００３７】
トランスデューササブアセンブリは、トランスデューサ要素を備え、同じトランスデューサ要素が（例えば、Ａモードで）画像化し、切除するために用いられ得るように構成される。トランスデューサ要素はディスクの形状であり得るか、または他の形状がトランスデューサ要素のために用いられ得る。トンスデューササブアセンブリはまた、変換の効率を上げるためにトランスデューサ要素を効果的に冷却するように構成される。これは、遠位および近位のヒートシンクをトランスデューサ要素に取り付けることによって（例えば、接合、溶接、スナップフィッティングなどによって）達成され、それによって、トランスデューサ要素から熱を逃がすように伝える。さらに効率を上げるために、遠位ヒートシンクは音響的整合層を備え、近位ヒートシンクは音響的不整合のバッキング層を備えている。さらに、ヒートシンクの各々は、冷却物質（例えば、食塩水、水などの流体）が、トランスデューサ要素の近位表面および遠位表面（以下に「面」とも称される）に向けられ、トランスデューサ要素の面から熱を消散させることを可能にするように構成される。
【００３８】
図１Ｂに示されるように、トランスデューササブアセンブリ３０００は、カテーテル２０００の遠位部分にまたはその近くに配置され、管状のジャケット３４００内に収容される。カテーテル２０００は、任意の適切なカテーテルであり得、少なくとも１つの内腔２１００を備えている。トランスデューササブアセンブリ３０００の構成要素は、図１Ｂの組立図、および図１Ｃの分解組立図で示される。トランスデューササブアセンブリ３０００は、遠位面３１０２と近位面３１０４とを有するトランスデューサ要素３１００を備えている。トランスデューササブアセンブリ３０００は、ヒートシンクから熱を逃がすように伝えることによってトランスデューサ要素３０００を冷却するように働くヒートシンクをさらに備えている。具体的には、トランスデューササブアセンブリ３０００は、トランスデューサ要素３１００の遠位面３１０２に接合される遠位ヒートシンク３３００と、トランスデューサ要素３１００の近位面３１０４に接合される近位ヒートシンク３２００とを備えている。
【００３９】
ヒートシンクは、さらに、音響的整合および音響的反射によってトランスデューサ要素３０００の動作効率を上げるように構成される。具体的にはそして下記にさらに詳細に説明されるように、遠位ヒートシンク３３００は、音響的整合の層部分であって、すなわち、その部分の構成および厚さがトランスデューササブアセンブリ３０００の前でトランスデューサ要素３１００と任意の流体との間に１／４波長整合層を提供する、音響的整合の層部分を備えている。近位ヒートシンク３２００は、音響的不整合の層部分であって、すなわち、その部分の構成がトランスデューサ要素３１００の音響インピーダンスに音響的に不整合である、音響的不整合の層部分を備え、それによって、トランスデューサ要素３１００から発する超音波をトランスデューサ要素３１００の方に戻るように反射する。これらの部分は下記にさらに十分に説明される。
【００４０】
トランスデューササブアセンブリ３０００はまた、ヒートシンク３２００および３３００を固定するベース３５００を備え、トランスデューサ要素３１００はそれらのヒートシンク間に接合される。トランスデューササブアセンブリ３０００は、ヒートシンク３２００および３３００の各々に接合される１つ以上の電気ケーブル３６００を用いて電力を供給される。これらの電気ケーブル３６００は、図１Ｂおよび図１Ｃに示されるように、一対の撚線を介して例示として提供される。理解されるように、これらの電気ケーブルはまた、同軸線または分離（ｓｅｐａｒａｔｅ）非撚線であり得る。ヒートシンク３２００および３３００は、ヒートシンク３２００および３３００を電気ケーブル３６００に電気的に結合する電気アタッチメント（図示されていない）を備え、それによって、トランスデューサ要素３１００に電力を供給する。トランスデューサ要素３１００は、トランスデューサ要素３１００の面の上に電気的エネルギーを分配するために、遠位面および近位面に電極プレーティングを備えている。
【００４１】
本明細書に開示されるように、トランスデューサ要素３１００は、単一のトランスデューサ要素を備えている。しかしながら、当業者は、この単一の要素がより小さいサブ要素から構成され得ることを理解する。トランスデューサは、心臓の心房の中に経費的に導入されるように構成されるカテーテルの中にフィットする適切なサイズである。例えば、一実施形態において、トランスデューサの直径は、０．２インチ未満であり、好ましくは０．１５インチである。
【００４２】
さらに、トランスデューサ要素は、様々な外形、ならびに様々な音響的活性および不活性の部分を備え得る。そのようなトランスデューサ要素の特性は、次いで、作られた切除損傷の形状などのトランスデューサの画像化特性および切除特性に影響を与える。様々な形状およびサイズのトランスデューサ要素（サブ要素）を用いるというこれらの概念は、下記にさらに説明される。
【００４３】
例えば、図１Ｂおよび図１Ｃに示される実施形態において、トランスデューサ要素３１００は、平坦な円形のディスクであって、その近位面および遠位面から超音波エネルギーを送信する、ディスクである。トランスデューサ要素３１００は、レンズの効果を達成するか、または、アポディゼーション（すなわち、トランスデューサ要素３１００の表面の一部分もしくは複数の部分の振動を選択可能に減少させること）と、超音波ビームの伝達の管理とを支援するために、代わりに凹面もしくは凸面のいずれかなどのより複雑な外形を有し得る。
【００４４】
他の例示的なトランスデューサは、図２Ａ〜図２Ｄに示される。例えば、図２Ａおよび図２Ｂに示されるように、トランスデューサ３１００ａおよび３１００ｂは少なくとも１つの音響的不活性の部分４２００を含み、トランスデューサ表面の残りは音響的活性の部分を備えている。これらの実施形態において、音響的不活性の部分４２００は、トランスデューサが電圧を加えられたときエネルギービームを放出しないか、または代わりに、非常に低い（実質的に０）エネルギーを有するエネルギービームを放出し得る。音響的不活性の部分４２００は、いくつかの機能を有する。例えば、そのようなトランスデューサを用いて組織を切除することによって生成される損傷の形状は、音響的活性の切除部分の形状に対応し得る。例えば、図１Ｂおよび図１Ｃに示される円形の実施形態において、損傷の形状は涙滴形状である。しかしながら、図２Ａに示される環状の実施形態において、損傷の形状はおおよそ歯形であるかまたは鈍い涙滴形である。これは、図２Ａにおける音響的不活性の部分４２００が組織の対応する中心部分において、引き延ばされた切除を妨げるからである。組織の引き延ばされた切除がより深い切除を作るので、音響的不活性の部分４２００の存在は、中心部分において切除が組織の中により深く到達することを妨げる。損傷は、従って、図２Ａの例示的損傷形状Ｌによって示めされるように、涙形よりはむしろ、おおよそ歯形または鈍い涙滴形である。
【００４５】
作られる切除損傷の形状に影響を与える他に、音響的不活性の部分４２００はさらに、示される任意の実施形態において、トランスデューサ要素３１００ａおよび３１００ｂの温度調節を助ける、すなわちトランスデューサ要素が熱くなり過ぎるのを防ぐことを助けるように機能を果たす。
【００４６】
音響的不活性の部分は、様々な方法で作られ得る。一実施形態において、音響的不活性の部分４２００は、トランスデューサ要素の音響的活性の領域の境界によって規定される穴または間隙である。そのような実施形態において、オプションの冷却剤源は、トランスデューサ要素の温度をさらに冷却し調節するために、トランスデューサ要素によって規定される穴または間隙に結合され得る（冷却流体の場合、冷却流体は穴または間隙を通って流れ得る）。
【００４７】
別の実施形態において、音響的不活性の部分４２００は、トランスデューサ要素の活性領域の特性とは異なる特性を有する材料組成を含み得る。例えば、音響的不活性の材料は、銅などの金属から作られ得、その金属はさらに、トランスデューサ要素から熱を逃がすように熱を引くかまたは伝えるように機能を果たす。代わりに、音響的不活性の部分４２００は、トランスデューサ要素と同じ材料から作られ得るが、電極プレーティングが電気アタッチメントから取り外されるかまたは切断される。音響的不活性の部分４２００は、トランスデューサ要素の全厚さに沿って配置され得るか、または代わりにトランスデューサ要素の全厚さより少ない厚さを有するトランスデューサ要素にある材料の層かもしくはトランスデューサ要素内の材料の層であり得る。
【００４８】
例えば、図２Ａに示されるように、トランスデューサ要素３１００ａはドーナツ形のトランスデューサであり、ドーナツ形のトランスデューサはそうでなければ円形のディスク形のトランスデューサ要素の中心部分において穴（または音響的不活性の部分）４２００を含む。この実施形態のトランスデューサ要素３１００ａは、円形の外形を有するが、代わりに楕円形、図２Ｂに示されるような多角形、または任意の他の適切な形状であり得る。トランスデューサ要素３１００ａは、単一の円形で音響的不活性の部分４２００を含むが、代わりに、図２Ｂに示されるように、任意の適切な外形の任意の適切な数の音響的不活性の部分４２００を含み得る。音響的不活性の部分の例示的外形は、円形、正方形、長方形、楕円形、多角形、または任意の他の形状の領域を含む。トランスデューサ要素から放出される全エネルギーは、トランスデューサ要素の音響的活性の表面積に関係する。従って音響的活性の部分（単数、複数）４２００のサイズおよび場所は、トランスデューサ要素における発熱性を十分に減少させ得、一方、トランスデューサ要素ができるだけ多くの出力エネルギーまたは所望の出力エネルギーを提供することを可能にする。
【００４９】
本明細書において開示されるように、トランスデューサ要素は、オプションで２つ以上の周波数で動作するように構成され得る。このことは、複数周波数の切除のためまたは診断と同時の切除のためにトランスデューサ要素が用いられることを可能にする。例えば、そのような複数周波数トランスデューサ要素は、標的組織を識別するために組織の一部分を画像化するのに用いられる第１の周波数範囲を用いて第１の出力レベルで断続的に動作させられ得、標的組織を切除するために用いられる第２の周波数範囲を用いて第２の出力レベルで動作させられ得る。一実施形態において、画像化周波数は、約５ＭＨｚ〜３０ＭＨｚの範囲であり、切除周波数は、好ましくは５ＭＨｚ〜２５ＭＨｚの範囲であり、より好ましくは８ＭＨｚ〜２０ＭＨｚの範囲であり、さらにより好ましくは１０ＭＨｚ〜１８ＭＨｚの範囲である。これらの構成を達成するトランスデューサは、例示として、環状のトランスデューサまたはグリッドアレイであると示される。
【００５０】
図２Ｃおよび図２Ｄに示されるように、トランスデューサ要素３１００ｃおよび３１００ｄは、２つ以上の周波数で送信する能力があるように構成される。具体的には、図２Ｃに示されるように、トランスデューサ要素３１００ｃは、複数の環状トランスデューサ部分４４００を含む。複数の環状トランスデューサ部分は、複数の同心のリングであるが、代わりに、楕円形または多角形などの任意の適切な外形を有する任意の適切な構成を有し得る。オプションで、トランスデューサ要素３１００ｃは、トランスデューサ３１００ｃの中心部分などの１つ以上の音響的不活性の部分４２００を含む。複数の環状トランスデューサ部分４４００は、少なくとも、第１の環状部分と第２の環状部分とを含む。第１の環状部分は第２の環状部分の材料特性とは異なる材料特性を有し得、その結果、第１の環状部分は第２の環状部分によって放出される第２のエネルギービームとは異なる第１のエネルギービームを放出する。さらに第１の環状部分は、第２の環状部分とは異なる周波数、電圧、デューティサイクル、出力で、かつ／または異なる長さの時間で電圧を加えられ得る。代わりに、第１の環状部分は、第２の環状部分とは異なるモードで動作させられ得る。例えば、第１の環状部分は切除モードなどの療法モードで動作させられ得、療法モードは組織を加熱するのに十分な超音波エネルギーのパルスを送達する。第２の環状部分は、Ａモードなどの画像化モードで動作させられ得、画像化モードは短い継続時間の超音波のパルスを送達し、短い継続時間の超音波のパルスは、概して組織の加熱に十分ではないが、超音波送達システムにおいてかつ超音波送達システムの周りにおいて標的組織および／または環境の特性を検出するように機能を果たす。第１の環状部分は、第２の環状部分の電気アタッチメントとは別個の電気アタッチメントをさらに含み得る。
【００５１】
図２Ｄに示される複数周波数トランスデューサ要素の別の実施形態において、トランスデューサ要素３１００ｄはトランスデューサ部分４６００のグリッドを含む。トランスデューサ部分４６００のグリッドは、円形、長方形、楕円形、多角形、または任意の他の適切な外形などの任意の適切な外形を有する。この変種におけるトランスデューサ要素３１００ｄは、音響的に不活性である１つ以上のトランスデューサ部分をさらに含み得る。トランスデューサ部分４６００のグリッドは、少なくとも、第１のトランスデューサ部分と、第２のトランスデューサ部分とを含む。第１のトランスデューサ部分および第２のトランスデューサ部分は、材料特性一式を有する単一のトランスデューサの複数の部分である。第１のトランスデューサ部分は、第２のトランスデューサ部分とは異なる周波数、電圧、デューティサイクル、出力で、かつ／または異なる長さの時間で電圧を加えられる。さらに、第１のトランスデューサ部分は、第２のトランスデューサ部分とは異なるモードで動作させられ得る。例えば、上記の説明と同様に、第１のトランスデューサ部分は切除モードなどの療法モードで動作し得、一方、第２のトランスデューサ部分はＡモードなどの画像化モードで動作し得る。第１のトランスデューサ部分は、第２のトランスデューサ部分の電気アタッチメントとは別個の電気アタッチメントをさらに含み得る。例えば、第１のトランスデューサ部分はトランスデューサ要素３１００ｄの中心の方に位置を定められ得、第２のトランスデューサ部分はトランスデューサ要素３１００ｄの外側部分の方に位置を定められ得る。さらに、第２のトランスデューサ部分は電圧を加えられ得、一方、第１のトランスデューサ部分は不活性のままである。他の実施形態において、第１のトランスシューサ部分は第２のトランスデュサーサ部分の材料特性とは異なる材料特性を有し、その結果、第１のトランスデューサ部分は第２のトランスデューサ部分によって放出される第２のエネルギービームとは異なる第１のエネルギービームを放出する。そのような実施形態において、第１のトランスデューサ部分はまた、第２のトランスデューサ部分とは異なる周波数、電圧、デューティサイクル、出力で、かつ／または異なる長さの時間で電圧を加えられ得る。
【００５２】
ここでヒートシンク３２００および３３００に転じると、図３は、近位ヒートシンク３２００を示す。この実施形態において、近位ヒートシンク３２００は、接合部分３２１０と、接合部分３２１０に概ね直交の脚３２２０を形成する実質的に湾曲した部分とを備えている。近位ヒートシンクは、少なくとも１つの電気アタッチメント３２３０をさらに備えている。同様に、遠位ヒートシンクは、電気アタッチメント３３３０を備えている（図４に示される）。電線３６００は、電気アタッチメント３２３０および３３３０に接続される。電気リード線がクリスタルの向かい合う面に接続される、トランスデューサクリスタルの従来の電気アタッチメントとは異なり、開示される配置は、「ホットスポット」を除去し、結果としてクリスタルの表面全体に均一の電気出力密度をもたらす。さらにこのことは、結果としてより容易な構造または製造工程をもたらす。
【００５３】
接合部分３２１０は、エポキシなどの適切な接合材料でトランスデューサ要素３１００の近位面に接合され、接合層を形成する。この実施形態において接合部分３２１０が実質的に平らであるように示されているが、当業者は、接合部分３２１０が本明細書に説明される機能性をなおも維持して凹面部分などの任意の適切な構成であり得ることを理解する。実質的に湾曲した部分３２２０は、脚、またはトランスデューサ要素３１００から近位に突き出る要素を備えている。さらに、湾曲部分３２２０は、流体が湾曲部分を通って流れることを可能にし、また流体がトランスデューサ要素３１００の近位面を囲み冷却することを可能にするような方法で構成される。湾曲部分内に収容され得る流体は、効果的なヒートシンクを有することと画像性能を劣化させる音反響を最小にすることとの適切なバランスを達成する任意の適切な流体であり得る。近位ヒートシンク３２００は、適切な厚さの銅などの適切な材料から形成される。このヒートシンクのための材料の厚さは、銅ヒートシンクに対して好ましくは０．０００１インチ〜０．０１インチの範囲である。
【００５４】
近位ヒートシンク３２００は、トランスデューサ要素３１００から熱を逃がすように伝えかつ消散させることによってトランスデューサの近位面を冷却するように働く。トランスデューサ要素３１００からの熱は、接合部分３２１０によって吸収され、湾曲部分３２２０に伝えられ、そこで熱が循環流体の中に消散される。この消散は、トランスデューサ要素３１００の近位面にいくらかの冷却を提供する。さらに、湾曲部分３２２０は、流体がトランスデューサ要素３１００の近位面を囲み冷却することを可能にするように構成される。例えば、図３に示されるように、湾曲部分３２２０は、トランスデューサ要素３１００の後ろに１つ以上のポケットを提供し、そのポケットにおいて流体は、トランスデューサ要素３１００ならびにトランスデューサ要素３１００の近位面から熱を消散させる近位ヒードシンク３２００に流れ、それらの両方を冷却するように導入され得る。
【００５５】
上記に説明されるように、熱を消散させる他に近位ヒートシンク３２００は、トランスデューサ要素３１００においてホットスポットを減少させるヒートスプレッダとしても働き、それによって、トランスデューサ３１００の全面にわたって熱を保持する。この熱の広がりがないと、トランスデューサ要素３１００の中心は、トランスデューサ要素３１００の残部より実質的に熱い。
【００５６】
接合部分３２１０は、トランスデューサ要素３１００から伝導される反射エネルギーの量を最大にするように構成され得る。ヒートシンク用途に適している多くの金属は、ＰＴＺとあまり異なっていない音響インピーダンスを有するので、ＰＴＺとヒートシンク自体との間の境界は、あまり効果的な反射界面を提供しない。しかしながら、ヒートシールドにすぐの近位の別の材料は、それが効率的な音響反射器を提供するように選択され得る。例えば、空気は、水のように優れた音響不整合を提供するので、良好な反射器としてふるまう。水は空気ほど非常に効果的な反射器ではないとしても、水はまた熱導体としてふるまうので、水は好まれる。空気がトランスデューサアセンブリの周りの冷却流体の流れを妨げないならば、空気が用いられ得る。これを達成するために、３２１０の接合部分は、２つの金属層の間に空気の第３の薄い層を捕捉する２つの金属層から組み立てられる。代わりに、音響的に吸収する媒体を提供して残響を最小にし、画像化性能をさらに最適化するために、バッキング材料が近位ヒートシンク３２００の近位に位置を定められ得る。そのようなバッキング材料は、オプションで、エポキシ、金属粒子、タングステンなどの組み合わせから作られ得る。
【００５７】
さらにまたは代わりに、トランスデューサ要素３１００またはトランスデューササブアセンブリ３０００は、三脚型構造（図示されていない）で配置され得、その結果、トランスデューサ要素３１００の近位表面は三脚の中に面する。この構成においてトランスデューサ要素３１００と三脚ベースとの間の空間にポケットが生ずる。このポケットは、同じ２つの面の目的を有する代替のバッキングとして働く。第１に、バッキングは、音響的に不整合であり、それによって、トランスデューサ要素３１００から生ずる超音波を反射する。第２に、流体（例えば、食塩水または水）がトランスデューサアセンブリ３０００の中に導入されると、ポケットはまた、流体がトランスデューサ要素３１００と接触するようになることを可能にし、それによって、追加の冷却を提供する。
【００５８】
代わりに、妥当な熱伝導を有する別の適切な音響的に不整合の材料が、流体の代わりに用いられ得る。そのような材料は、例えばスチールウールまたは封入空気（ｅｎｔｒａｐｐｅｄ  ａｉｒ）を有する多孔性金属などの、閉じ込められた空気（ｔｒａｐｐｅｄ  ａｉｒ）を有する金属を含む。例えば、ＰＺＴの背面は、多孔性金属のポケットが後ろに取り付けられている全背面を備えている薄いヒートスプレッダを備え得る。別の例として、ＰＺＴの中心は、ヒートシンクの一部として熱を伝える中心ポストを提供することによってさらに冷却され得、空気の環状リングが接合部分３２１０の後ろに閉じ込められることを可能にし得る。
【００５９】
上記に言及されるように、熱を分配しトランスデューサ要素３１００の遠位面を冷却する（ヒートスプレッダとしても働く）遠位ヒートシンク３３００によって、追加の冷却が提供され得る。図４に示されるように、遠位ヒートシンク３３００はまた、接合部分３３１０と、平らな部分３３１０に直交の実質的に湾曲した部分３３２０とを備えている。遠位ヒートシンクは、少なくとも１つの電気アタッチメント３３３０をさらに備えている。遠位ヒートシンク３３００は、接合部分３３１０がトランスデューサ要素３１００の遠位面に接合されるように構成される。実質的に湾曲した部分３３２０は、トランスデューサ要素３１００から近位に突き出る要素または脚を備えている。従って、遠位ヒートシンク３３００の湾曲部分３３２０は、近位ヒートシンク３２００の湾曲部分３２２０に隣接している。上記に言及されるように、接合部分３３１０は、さらに、トランスデューサ要素３１００のための音響的接合層として働くように構成される。熱伝導性でもある音響的整合構成を提供するために、接合部分３３１０はアルミニウムなどの適切な材料から作られ、他の適切な材料は、所望の周波数で厚さが１／４波長であるように、０．０２６インチ〜０．０００２６インチの範囲の適切な厚さで、グラファイト、金属充填のグラファイトもしくはセラミック、またはグラファイトと銅またはタングステンとの混合物を含む。接合部分３３１０は、エポキシなどの適切な接合材料でトランスデューサ要素３１００の遠位面に接合され、接合層を形成する。
【００６０】
さらにそしてオプションで、接合部分３３１０は、音響インピーダンス整合を高めるために適切な薄さの層に適用されるエポキシによって充填され得る目打ちまたは穴３３１５を備えている。遠位整合層における目打ちは、多くの方法で達成され得る。目打ち構造は、後にエポキシ材料で充填される開放空間を含む金属マトリックスの組み合わせから作られる。例えば、金属マトリックスはワイヤグリッドであり得る。代わりに、目打ち構造はエポキシ膜のマトリックスであり得、穴はアルミニウムなどの金属で充填され得る。さらに、エポキシと金属との混合率は、音響インピーダンス整合を高めるように構成される。音響インピーダンスは、２つの複合材料の音響インピーダンスおよび混合率によって決定される。例えば、アルミニウムおよびＥＰＯ−ＴＥＫ（登録商標）３７７（Ｅｐｏｘｙ  Ｔｅｃｈｎｏｌｏｇｙ，Ｉｎｃ．，Ｂｉｌｌｅｒｉｃａ，ＭＡ）を用いて、適切な率は３５％〜６０％のエポキシの容積分率であり、良好な音響インピーダンス整合は４０％〜５０％のエポキシの容積分率で達成され、理想的な整合は約４１％である。さらに、目打ちまたは穴３３１５は、超音波ビームの波長と比較して十分に小さい直径を有し、それによって、接合部分３３１０は、トランスデューサ要素３１００から生ずる伝搬波（ｐｒｏｐａｇａｔｉｎｇ  ｗａｖｅ）と同質であるように見えることを可能にする。
【００６１】
音響インピーダンス整合を達成するために目打ちまたは穴を有する接合部分３３１０を用いる構造と同様に、トランスデューサクリスタルの近位表面における接合部分３２１０はまた、音響インピーダンス不整合を達成するために用いられる材料において目打ちまたは穴を用いることから利益を受け得る。そのような材料は、銅、タングステンなどを含み得る。代わりに、エポキシ層に撒かれた金属粒子を有するエポキシ層および穴または目打ちの分布は、音響インピーダンスを提供することと同じ目的を達成し得る。
【００６２】
（銀などの金属粒子を有する）非伝導性および伝導性のエポキシの両方とも、近位接合層または遠位接合層のいずれかを形成するために用いられ得る。一実施形態において、エポキシは例示として低粘性の非伝導性エポキシ（例えば、ＥＰＯ−ＴＥＫ（登録商標）３７７）である。エポキシは、音響インピーダンス整合に対するエポキシの影響を最小にするために、適切な薄さの層に適用され、一方、トランスデューサ３１００を冷却するために熱伝導性を最大にする。さらに、接合層はまた、ヒートシンク３３１０および３２１０をトランスデューサ３１００に電気的に接続するように構成される。これは、トランスデューサ３１００面および整合部分３３１０および３２１０を粗くするように構成することによって、伝導性エポキシを用いることなくうまく達成される。その後、トランスデューサ要素３１００の遠位面および近位面は、電気的非伝導性エポキシを有する、遠位面および近位面に関係のあるヒートシンクに接合される。各接合層は、トランスデューサ３１００の表面あらさがヒートシンク３３１０および３２１０の表面あらさに電気的に接触することを可能にするほど十分な薄さである。これは、トランスデューサ要素３１００の粗い表面がその表面に関係のあるヒートシンクに直接に電気的接触することを可能にし、それによって（熱と共に劣化し得る）電気的伝導性エポキシを用いることを不要にする。従って、電気的伝導性は、エポキシを介するよりはむしろ、トランスデューサ要素３１００の粗い表面とヒートシンクとの間の接触点を経由して行われる。
【００６３】
さらにそしてオプションで、パリレンまたは任意のそのようなコーティングは、追加の整合層としてふるまうために遠位ヒートシンク３３００の接合部分３３１０に配置される。コーティングの１つの結果は、従って、トランスデューサ要素３１００伝導性の効率を上げるためかつ広帯域幅性能をさらに最適化するために第２の音響整合層を生成することであり得る。このパリレンコートの厚さは、標的超音波波長の１／４である。オプションで、ヒートシンク３２００および３３００の両方は、電気的絶縁を提供するために、パリレンまたは任意のそのような適切なコーティングによって被覆される。さらに、ヒートシンクは、電気的絶縁を提供するために陽極処理され、一方、熱伝導性を最大にする。トランスデューササブアセンブリ３０００は、図５に示されるように管状ジャケット３４００内に位置を定められる。管状ジャケット３４００は、近位端および遠位端を有する空洞の円筒である。トランスデューササブアセンブリ３０００は、管状ジャケットの遠位端がトランスデューササブアセンブリ３０００の遠位端を越えて適切な距離、例えば１ｍｍ〜５ｍｍ突き出るように管状ジャケット３４００の中に配置される。管状ジャケット３４００の遠位端は、遠位開口部３４１０と、遠位開口部の近くに位置を定められる流体出口ポート３４２０とを備えている。トランスデューサ要素３１００の冷却は、食塩水、水、または任意の生理的適合の流体もしくはゲルなどの冷却流体もしくはゲルを管状ジャケット３４００の近位端の中に導入することによって達成され得る。冷却流体は、トランスデューサ要素３１００の温度に対してより低い温度を有する。冷却流体は、ヒートシンク３２００および３３００の湾曲部分３２２０および３３２０に沿って接合部分３２１０および３３１０の両方を越えて流れ、遠位開口部３４１０、流体出口ポート３４２０、またはこれらの任意の組み合わせを通って出ていく。オプションで出口ポート３４２０は、グレーティング、スクリーン、穴、水抜き穴、浸出構造（ｗｅｅｐｉｎｇ  ｓｔｒｕｃｔｕｒｅ）、または任意の数の適切なアパーチャの形式であり得る。
【００６４】
さらに、トランスデューササブアセンブリ３０００において説明される任意の金属構成要素またはそのすべては、金などの適切な生体適合材料のプレーティングが備え付けられる。そのようなプレーティングは、トランスデューサアセンブリが組み立てられる前に個々の構成要素に備え付けられる。
【００６５】
例示的実施形態において、冷却流体または冷却ゲルの温度は、冷却流体または冷却ゲルがトランスデューサ要素３１００およびオプションで標的組織を冷却するほど十分に低い。この実施形態において、流体またはゲルの温度は、おおよそ―５と体温との間である。第２の実施形態において、冷却流体または冷却ゲルの温度は、冷却流体または冷却ゲルがトランスデューサ要素３１００を冷却するが、標的組織を冷却しないで、実際は標的組織を暖め得るような温度範囲内である。流体またはゲルは、代わりにトランスデューサ要素３１００を十分に冷却する、室温を含む任意の適切な温度であり得る。
【００６６】
上記に説明される本発明は、小さい方のトランスデューサアセンブリを冷えた状態に保つという利点を有する。前に言及されたように、トランスデューサの直径は、カテーテルの先端の中にフィットするほど十分に小さい（０．２インチ未満、理想的には０．１５インチ未満）が、組織損傷を作るのに十分に高い出力密度レベルを生成する（約５０ワット／ｃｍ２〜２５００ワット／ｃｍ２）。本発明は、組織損傷を効率的に作るためにトランスデューサアセンブリを冷えた状態に保つ。
【００６７】
本出願人らは、ここで損傷の形成を説明することに転じる。組織との超音波ビームの相互作用は、図６に説明される。組織２７６は、視準長Ｌ内の超音波ビーム２７２に提示される。組織２７６の前面２８０は、カテーテル２０００の遠位先端２１１０から距離ｄ（２８２）だけ離れている。超音波ビーム２７２は組織２７６を通って移動するので、超音波ビーム２７２のエネルギーは組織２７６によって吸収されかつ散乱させられ、超音波エネルギーのほとんどは熱エネルギーに変換させられる。この熱エネルギーは、周囲の組織より高い温度に組織を加熱する。結果は、長く延びた涙滴の典型的な形状を有する加熱帯２７８である。帯２７８の直径Ｄ１は、組織表面２８０におけるトランスデューサアパーチャ直径Ｄより小さく、さらに、組織２７６の外側層２７６は、実質的に損傷されないままである。これは、組織表面２８０を通過して流れる周囲の流体によって提供される熱冷却のためである。組織２７６の外側層は、組織表面２８０が冷却される量に従って、かつ／または超音波送達システムの特性（トランスデューサ要素３１００、超音波ビーム２７２、超音波エネルギーおよび周波数を含む）に従って、多かれ少なかれそのまま残され得るかまたは実質的に損傷されないままであり得る。切除帯２７８に堆積されたエネルギーは、心臓内面がもとのままでありかつ／または焦がされないように、組織と相互に作用する。超音波ビーム２７２は組織２７６の中により深く進むので、熱冷却は、周囲の組織によって提供され、表面上の熱冷却ほど効率的ではない。結果として、周囲の組織の伝熱特性ならびにビーム２７２からの超音波エネルギーの継続する入力によって決定されるように、切除帯２７８がＤ１より大きい直径Ｄ２を有する。この超音波−組織の相互作用中、超音波エネルギーは組織２７６によって吸収され、組織の中にさらに進む利用可能な超音波エネルギーがより少なくなる。従って対応するより小さい直径の加熱帯は組織２７６において発達させられ、全体的な結果として、加熱切除帯２７８の形成となり、加熱切除帯２７８は組織２７６の中に深さ２８８に限定された長く延びた涙滴の形状である。
【００６８】
切除帯（切除帯のサイズおよび他の特性を含む）の形成は、図７Ａ〜図７Ｄに示されるように時間に依存し、図７Ａ〜図７Ｄは、時間ｔ１、ｔ２、ｔ３およびｔ４のそれぞれにおける損傷の形成を示す。音ビーム２７２が最初に時間ｔ１において組織２７６の前面２８０突き当ると、熱が作られ、熱は損傷２７８を形成し始める（図７Ａ)。時間がｔ２およびｔ３に経過すると（図７Ｂおよび７Ｃ）、切除帯２７８は直径および深さにおいて成長し続ける。このｔ１からｔ３への時間順序は、超音波エネルギー密度に従って、わずか約１秒〜５秒、または好ましくは約３秒〜５秒を要する。超音波ビーム２７２の入射が時間ｔ３を越えて継続されると、切除損傷２７８は、直径および長さにおいてわずかに成長し、次いで、エネルギーの超音波形態から熱形態へのエネルギー移動において達成され、周囲の組織の中への熱エネルギーの消散によって平衡が保たれる定常状態により、成長が止まる。図７Ｄに示される例は、超音波ビーム２７２に対しておおよそ３０秒の曝露ｔ４後の損傷を示す。従って、損傷は、サイズにおいて自然の限度に達し、無限に成長するのではない。
【００６９】
超音波ビーム２７２によって形成される損傷また切除帯２７８の形状は、超音波ビーム２７２、（材料、外形、電圧を加えられかつ／または電圧を加えられないトランスデューサ要素３１００の部分などを含む）トランスデューサ要素３１００、存在する任意の整合層および／またはバッキング、（周波数、電圧、デューティサイクル、信号の長さおよび形状などを含む）電気エネルギー源からの電気信号、およびエネルギー送達の継続時間などの要因に依存する。標的組織の特性は、伝熱特性と、超音波の吸収および減衰と、標的組織および周囲組織の後方散乱特性とを含む。切除帯２７８のサイズおよび特性はまた、所望の超音波ビームを作るためにトランスデューサ要素３１００に印加される周波数および電圧に依存する。
【００７０】
上記に言及されるように、トランスデューサ要素の形状および構造などの特性は、トランスデューサ要素によって作られる切除損傷に影響を与える。図７Ａ〜図７Ｄに示される特定の例の損傷は、例えば、円形ディスクを備えているトランスデューサ要素３１００によって生成されるような涙形の損傷である。切除形状の第２の変種は図８に示され、図８において切除帯２７８’はより短い深さ２８８’を有する。この変種において、損傷２７８’は、図６の切除帯２７８よりも鈍い形状を有する。この第２の変種の１つのあり得る損傷外形は、図８に示されるように歯形の外形であり得るが、但し、外形は代わりに、鈍い涙形、円形、または楕円形を有し得る。図８に示されるように、（図６における帯２７８に類似した）帯２７８’は、組織表面２８０を通過して流れる周囲の流体によって提供される熱冷却のために、組織表面２８０においてビーム２７２’の直径Ｄより小さい直径Ｄ１を有する。損傷外形におけるこの変種は、トランスデューサ３１００ａによって生成され、トランスデューサ３１００ａは、その中心に位置を定められる音響的不活性部分４２００を有する、すなわち、図６に示される超音波ビーム２７２より広く平らな輪郭を有して概してより多く放散させられる超音波ビーム２７２’を放出するドーナツ形トランスデューサである。図８に示されるように、そのようなドーナツ形トランスデューサから放出される超音波ビーム２７２’は、（図８において点線によって断面で示されるような）エネルギービームの正中線に沿って、減少した頂点強度を有する。この超音波−組織の相互作用によって、エネルギービームの正中線に沿う減少した頂点強度は、組織によって吸収され、組織の中にさらに進むために利用され得るエネルギーが益々少なくなり、それによって結果として、第１の変種と比較してより鈍い損傷をもたらす。
【００７１】
超音波エネルギー密度は、切除が行われる速度を決定する。トランスデューサ要素３１００によって送達される音響出力は、ビーム幅の断面積によって割られ、単位時間当たりのエネルギー密度を決定する。本実施形態において、有効音響出力は、好ましくは０．５ワット〜２５ワット、より好ましくは２ワット〜１０ワット、そしてさらにより好ましくは２ワット〜７ワットの範囲である。対応する出力密度は、おおよそ５０ワット／ｃｍ２〜２５００ワット／ｃｍ２の範囲である。これらの出力密度は、切除帯において発達させられる。ビームが切除帯を越えて分散すると、エネルギー密度は露出時間に関わらず切除が行われないように降下する。
【００７２】
トランスデューササブアセンブリ３０００は、さらにセンサ（図示されていない）に結合され得る。センサの１つの変種は温度センサである。温度センサは、周囲環境の温度、トランスデューサ要素３１００の温度、および／または任意の他の要素または領域の温度を検出するように機能を果たす。センサはまた、冷却流体がトランスデューサを通過して流れると、冷却流体の温度を監視するためにも用いられ得る。温度センサは、熱電対であるが、代わりにサーミスタまたは赤外線温度センサなどの任意の適切な温度センサであり得る。オプションで、温度センサは、例えば近位面おいてトランスデューサに結合される。センサによって集められた温度情報は、療法中に連続的な切除エネルギーを組織２７６に送達することを管理し、標的組織および／または超音波送達システムの温度を管理するために用いられる。一実施形態において、センサは、トランスデューサ要素３１００の外形と実質的に同一である外形を有し、その結果、センサによって診断される面積は、トランスデューサ要素３１００によって治療される面積と実質的に同一である。代わりに、センサは、超音波エネルギーの送達を妨げることを最小にするためにより小さい外形を有するが、特定の場所のホットスポットである領域に位置を定められ得る。例えば、近位ヒートスプレッダ３２００の中心に取り付けられる小さい熱電対は、トランスデューサアセンブリの最も熱いホットスポットの温度を監視する。温度センサについての追加の詳細は、上記に参照によって前に援用された出願に開示される。
【００７３】
代わりに、センサの第２の変種において、同じ超音波トランスデューサ要素３１００は、センサとして働き、組織検出の目的のために用いられる。一方において、切除を達成するために、トランスデューサ要素３１００は、エネルギー入力が周囲の組織による冷却によって提供される熱緩和を超えるように、十分なエネルギーの超音波ビームを生成し、組織に送達するために用いられる。超音波トランスデューサ要素３１００に電圧加えるこのモードは、切除モードと称される。他方において、トランスデューサ要素３１００は、概して組織の加熱に十分ではない、組織感知に最適化された超音波信号を利用することによって、組織を画像化するかまたは組織特性を検出するために用いられ得る。１つのそのような超音波画像化技術は、当該分野においてＡ−ＭｏｄｅまたはＡｍｐｌｉｔｕｄｅ  Ｍｏｄｅ画像化と呼ばれる。トランスデューサ要素３１００に電圧を加えるこのモードは、画像化モードと称される。画素化モードは、組織の切除によって提供される療法を指示する際に利用される。トランスデューサ要素３１００は、間隙（すなわち、カテーテル２０００の遠位先端から組織表面までの距離）、切除の標的とする組織の厚さ、切除組織の特性、入射ビーム角度、または、温度、厚さおよび切除深さなどの超音波送達システムの周りの組織および／または環境の任意の他の適切なパラメータもしくは特性を検出するために、画像化モードにおいて用いられ得る。これらおよび他の適用可能な特徴は、参照によって前に援用された開示に説明される。
【００７４】
さらにそしてオプションで、好ましい実施形態の超音波送達システムは、センサに結合されたプロセッサを含み、プロセッサは、センサによって得られた情報に基づいて電気アタッチメントおよび／または電気アタッチメントに送達された電気信号を制御する。プロセッサは、従来のプロセッサであり得るか、または代わりに所望の処理機能を行う任意の適切なデバイスであり得る。
【００７５】
プロセッサは、カテーテルと組織との間の距離（すなわち、間隙距離）、切除の標的とする組織の厚さ、切除組織の特性、または任意の他の適切なパラメータまたは特性に関係する情報などの情報をセンサから受信する。この情報に基づいて、プロセッサは、電気アタッチメントを経由してトランスデューサ要素３１００に送られる電気信号を修正することによって、トランスデューサ要素３１００によって放出される超音波ビームを制御する。これは、周波数、電圧、デューティサイクル、パルスの長さ、および／または任意の他のパラメータを修正することを含み得る。プロセッサはまた、トランスデューサ要素のどの部分に電圧が加えられるかを制御することによって、かつ／またはトランスデューサ要素の様々な部分に電圧が加えられ得る場合の周波数、電圧、デューティサイクルなどを制御することによって、多要素トランスデューサにおいて超音波ビームを制御し得る。さらに、プロセッサは、さらに流体フローコントローラに結合され得る。プロセッサは、切除組織、未切除組織または標的組織、冷却流体の温度、組織および／もしくはエネルギー源の検出された特性、ならびに／または任意の他の適切な条件に基づいて流体フローを増加させるかまたは減少させるために、流体フローコントローラを制御し得る。さらにプロセッサは、所望の温度の動作範囲内にトランスデューサ要素３１００を維持するために、流体フローコントローラを制御し得る。さらに組織に損傷線または損傷形状を作るためのトランスデューサの動きは、オペレータによるかまたはプロセッサ制御下の１つ以上のモータを介してのいずれかで制御され得る。
【００７６】
超音波ビーム、および／または標的組織もしくはトランスデューサ要素３１００の冷却を制御することによって、切除帯２７８の形状が制御され得る。例えば、切除帯の深さ２８８は、経壁または実質的に経壁の損傷が達成されるように制御され得る。さらに損傷の性質は、ビームの速度を制御することによって制御され得る。ビームが組織に沿って動く速度は、組織に堆積するエネルギーの量を決定する。従って、例えば、より遅い速度は、結果としてより長い滞留時間をもたらし、それによって、組織に転送されるエネルギーを増加させ、従ってより深い損傷を作る。さらに、プロセッサは、例えば外心房壁を越えるなど標的組織を越えて損傷を作る可能性を最小にするように機能を果たす。損傷および／または切除ウィンドウが心房の外壁を越えようとしていることまたは損傷の深さが所定の深さに達したかまたは所定の深さを越えたことをセンサが検出した場合、プロセッサは、発電機の電源を切りかつ／または電気信号をトランスデューサに送りかつ／またはビームを動かす。
【００７７】
さらにプロセッサは、トランスデューサと標的組織の表面との間の好ましい間隙距離を維持するように機能を果たし得る。間隙距離は、好ましくは２ｍｍ〜２５ｍｍであり、より好ましくは２ｍｍ〜２０ｍｍであり、さらにより好ましくは２ｍｍ〜１５ｍｍである。損傷および／または切除ウィンドウが心房の外壁を越えて延びようとしているかもしくは心房の外壁に到達していないこと、または損傷の深さが所定の深さに到達していないかもしくは所定の深さを越えたことをセンサが検出した場合、プロセッサは、エネルギー送達システムの位置を変え得る。例えばカテーテル２０００が回転させられた場合、切除ウィンドウは、（円形の切除経路または楕円形の切除経路などの）切除経路を掃引し、円すい胴の断面を作る。しかしながら、切除ウィンドウが心房の壁に達していないことをセンサが決定した場合、プロセッサは、解剖におけるあり得る変動に対して調整するために、長くなった部材をＺ軸に沿って前後に動かし得るか、または長くなった部材が動かされるべきであることを指示し得る。そのような一実施形態において、オペレータは、カテーテル２０００の位置を変え得るか、またはプロセッサはモータ駆動ユニットもしくはカテーテル２０００の位置を変えるように機能を果たす他の制御ユニットに結合され得る。
【００７８】
上記トランスデューサ要素およびトランスデューササブアセンブリは切除カテーテルの関係において説明されたが、本明細書において説明されるトランスデューサ要素およびトランスデューササブアセンブリが超音波による組織を画像化しかつ／または組織を切除するように構成される任意のデバイスの一部として用いられ得る事は理解されるべきである。さらに上記のことは、本発明の好ましい実施形態の完全な説明であるが、様々な代案、修正および均等物が用いられ得る。従って、上記の説明は、本発明の範囲を限定することとして解されるべきではなく、本発明の範囲は添付の特許請求の範囲によって規定される。
【図１Ａ】
0005941281.tif 000002
【図１Ｂ】
0005941281.tif 000003
【図１Ｃ】
0005941281.tif 000004
【図２Ａ】
0005941281.tif 000005
【図２Ｂ】
0005941281.tif 000006
【図２Ｃ】
0005941281.tif 000007
【図２Ｄ】
0005941281.tif 000008
【図３】
0005941281.tif 000009
【図４】
0005941281.tif 000010
【図５】
0005941281.tif 000011
【図６】
0005941281.tif 000012
【図７Ａ】
0005941281.tif 000013
【図７Ｂ】
0005941281.tif 000014
【図７Ｃ】
0005941281.tif 000015
【図７Ｄ】
0005941281.tif 000016
【図８】
0005941281.tif 000017